(57)【特許請求の範囲】
【請求項１】
ＣＩＥ１９３１色空間における色度図上で可視光領域を表す色域内における任意の目標色度を受け付ける受付部と、
第１光源から出射される可視光領域の第１波長の光と、第２光源から出射される可視光領域の第２波長の光であり且つ前記第１波長と異なる第２波長の光と、を混合して出射する混合光出射部から出射される混合光の前記色度図上における色度が、前記目標色度となるように、前記第１波長、前記第２波長、前記第１波長の光の第１光量、及び前記第２波長の光の第２光量を制御する制御部と、
を備えた光源制御装置。
【請求項２】
前記色度図上における前記第１波長の光の第１色度と前記目標色度との位置関係に基づいて、前記第２波長を設定する波長設定部と、
前記第１色度と、前記色度図上における前記第２波長の第２色度と、前記目標色度と、の前記色度図上における位置関係に基づいて、前記第１光量及び前記第２光量を設定する光量設定部と、
を備え、
前記制御部は、前記第１光量で前記第１波長の光が出射され、かつ、前記第２光量で前記第２波長の光が出射されるように、前記第１光源及び前記第２光源を制御する
請求項１記載の光源制御装置。
【請求項３】
前記波長設定部は、前記第１色度と前記目標色度とを結ぶ直線と、前記色度図上における前記色域の外郭線と、に基づいて、前記第２波長を設定する
請求項２記載の光源制御装置。
【請求項４】
測色計で測定された前記混合光の測定色度を取得する取得部と、
前記測定色度と前記目標色度との色差を算出する算出部と、
前記色差が予め定めた閾値以上の場合に、前記第１波長、前記第２波長、前記第１光量、及び前記第２光量の少なくとも１つを補正する補正部と、
を備えた請求項１〜３の何れか１項に記載の光源制御装置。
【請求項５】
前記補正部は、前記測定色度が前記色度図上における前記第１波長の光の第１色度と前記目標色度とを結ぶ直線上の色度である場合は、前記色差に基づいて前記第１光量及び前記第２光量の少なくとも１つを補正する
請求項４記載の光源制御装置。
【請求項６】
前記補正部は、前記測定色度が前記色度図上における前記第１波長の光の第１色度と前記目標色度とを結ぶ直線上の色度でない場合は、前記色差に基づいて前記第１波長及び前記第２波長の少なくとも１つを補正する
請求項４又は請求項５記載の光源制御装置。
【請求項７】
前記第１波長は、前記可視光領域のうち予め定めた長波長側の波長である
請求項１〜６の何れか１項に記載の光源制御装置。
【請求項８】
前記波長設定部は、前記第１色度と前記目標色度との位置関係に基づいて、前記第１波長を前記可視光領域の最短波長又は最長波長に設定する
請求項２又は請求項３記載の光源制御装置。
【請求項９】
前記第２波長を予め定めた波長ずつ変化させて測定した前記第２色度と前記第１色度とを結ぶ直線の切片と前記第２波長との対応関係を表す切片情報を記憶する記憶部を備え、
前記波長設定部は、前記切片情報に含まれる切片のうち、前記第１色度と前記目標色度とを結ぶ直線の切片に最も近い切片に対応する第２波長を設定する
請求項３記載の光源制御装置。
【請求項１０】
前記波長設定部は、前記第１色度と前記目標色度とを結ぶ直線の切片を算出することができない場合、前記第１波長と異なる他の第１波長の光の第１色度と前記目標色度とを結ぶ他の直線の切片を算出し、前記切片情報に含まれる切片のうち、前記他の直線の切片に最も近い切片に対応する第２波長を設定する
請求項９記載の光源制御装置。
【請求項１１】
前記光量設定部は、前記色度図上における前記第１色度から前記目標色度までの距離と、前記色度図上における前記第２色度から前記目標色度までの距離と、に基づいて、前記第１光量及び前記第２光量を設定する
請求項２又は請求項３記載の光源制御装置。
【請求項１２】
前記光量設定部は、前記色度図上における前記第１色度から前記第２色度までの距離と前記第１色度から前記目標色度までの距離との比に基づいて前記第２光量を設定し、前記色度図上における前記第１色度から前記第２色度までの距離と前記目標色度から前記第２色度までの距離との比に基づいて前記第１光量を設定する
請求項１１記載の光源制御装置。
【請求項１３】
前記補正部は、前記測定色度が前記直線上の色度である場合は、前記色度図上における前記測定色度と前記目標色度との距離に応じて、第１光量及び前記第２光量の少なくとも１つを補正する
請求項５記載の光源制御装置。
【請求項１４】
前記補正部は、前記測定色度が前記直線上の色度でない場合は、前記色度図上において前記目標色度から前記測定色度へ向かう方向と、前記目標色度と前記測定色度との距離と、に基づいて、前記第１波長及び前記第２波長の少なくとも１つを補正する
請求項６記載の光源制御装置。
【請求項１５】
前記第１波長及び前記第２波長は、前記色域の外郭線上の波長である
請求項１〜１４の何れか１項に記載の光源制御装置。
【請求項１６】
コンピュータが、
ＣＩＥ１９３１色空間における色度図上で可視光領域を表す色域内における任意の目標色度を受け付けるステップと、
第１光源から出射される可視光領域の第１波長の光と、第２光源から出射される可視光領域の第２波長の光であり且つ前記第１波長と異なる第２波長の光と、を混合して出射する混合光出射部から出射される混合光の前記色度図上における色度が、前記目標色度となるように、前記第１波長、前記第２波長、前記第１波長の光の第１光量、及び前記第２波長の光の第２光量を制御するステップと、
を含む処理を実行する光源制御方法。
【請求項１７】
コンピュータに、
ＣＩＥ１９３１色空間における色度図上で可視光領域を表す色域内における任意の目標色度を受け付けるステップと、
第１光源から出射される可視光領域の第１波長の光と、第２光源から出射される可視光領域の第２波長の光であり且つ前記第１波長と異なる第２波長の光と、を混合して出射する混合光出射部から出射される混合光の前記色度図上における色度が、前記目標色度となるように、前記第１波長、前記第２波長、前記第１波長の光の第１光量、及び前記第２波長の光の第２光量を制御するステップと、
を含む処理を実行させるための光源制御プログラム。
【発明の詳細な説明】
【技術分野】
【０００１】
本発明は、光源制御装置、光源制御方法、及び光源制御プログラムに関する。
【背景技術】
【０００２】
特許文献１には、発光色が異なる２つの光源の発光部と、前記２つの光源を独立に駆動する駆動部と、前記２つの光源の光が混合された光の色度を検出する検出部と、前記検出部が検出した検出値と、色度図において前記２つの光源それぞれの色度を結ぶ線上にない目標色度と、に基づいて、前記混合された光の色度と前記目標色度の差が小さくなるように前記２つの光源の各々の駆動値を調整し、その後に前記差をさらに小さくするように自装置に入力された映像信号を調整することでホワイトバランスの調整を行う制御部と、を備えることを特徴とするバックライト装置が開示されている。
【０００３】
特許文献２には、第１の色を発光する第１光源、および第２の色を発光する第２光源を有する光源部において、前記第１、第２光源が同時に点灯されたときの混色の色度を、予め定めた所定の光度比となるように設定した目標色の色度に近づけるように補正する色度補正装置であって、前記第１、第２光源の少なくとも一方が点灯されたときの色度座標空間上の色度を検出する色度検出部と、前記色度検出部によって得られた色度に基づいて、前記第１、第２光源に供給する駆動電流を調整する制御部とを備え、前記制御部は、前記色度検出部によって検出された前記第１光源単体の第１色度、前記第２光源単体の第２色度、および前記混色の色度を取得し、前記第１色度、前記混色の色度、および前記第２色度を通る直線上において、前記目標色の色度の位置から、前記直線上で最も近い位置を、線上の目標色度として算出し、前記色度座標空間上の任意の２つの色度間の距離を色度距離と定義したときに、前記第１色度から前記混色の色度までの第１色度距離と、前記第２ 色度から前記混色の色度までの第２色度距離との比が、前記第１色度から前記線上の目標色度までの第１目標色度距離と、前記第２色度から前記線上の目標色度までの第２目標色度距離との比となるように、前記第１色度距離と前記第２色度距離のうち、短い方の色度距離を調整するための補正係数を算出して、前記短い方の色度距離に対応する光源への前記駆動電流を前記補正係数に基づいて変更して、光度を下げることで、前記混色の色度を前記目標色の色度に近づけるように補正することを特徴とする色度補正装置が開示されている。
【０００４】
特許文献３には、入射光を空間的に変調して表示画像を生成する空間光変調素子と、第１の波長域で発光する第１光源と、前記第１の波長域とは異なる第２の波長域で発光する第２光源と、前記第１光源及び前記第２光源からそれぞれ出射された２種類の光を混合して照明光を生成し、前記照明光を前記空間光変調素子に放射する光混合部と、前記照明光の一部を受光して、当該一部の照明光のうち前記第１の波長域の光成分を検出して第１の光量検出値を出力し、当該一部の照明光のうち前記第２の波長域の光成分を検出して第２ の光量検出値を出力する光量検出部と、前記第１光源及び前記第２光源を個別に駆動する光源駆動部と、前記第１の光量検出値に基づいて前記第２光源の内部温度を推定し、当該推定された内部温度に基づいて前記第２光源の発光波長のシフト量を算出する波長シフト算出部と、前記シフト量を用いて前記第２の光量検出値を補正する補正部と、前記第１の光量検出値と当該補正された第２の光量検出値とに基づいて前記光源駆動部を制御することにより前記照明光の色度を調整する光源制御部とを備えることを特徴とする画像表示装置が開示されている。
【０００５】
特許文献４には、照明光を空間的に変調して表示画像を生成する空間光変調素子と、第１波長域の光を出射する第１光源と、前記第１波長域に含まれる波長域である第２波長域の光を出射するレーザ光源を構成要素とする第２光源と、前記第１光源及び前記第２光源からそれぞれ出射された２種類の光を混合して前記照明光を生成し、前記空間光変調素子へ前記照明光を放射する光混合部と、前記照明光の一部を受光し、前記第２波長域とは異なる波長域の光成分を検出して第１の光量検出値を出力するとともに、前記第２波長域の光成分を検出して第２の光量検出値を出力する光量検出部と、前記第１光源及び前記第２光源を個別に駆動する光源駆動部と、前記第１の光量検出値と前記第２の光量検出値とに基づいて前記光源駆動部を制御して前記照明光の色度を調整する光源制御部と、前記第２光源近傍の温度を検出する温度検出部と、前記第２光源近傍の温度に基づいて前記第２光源の発光波長のシフト量を算出し、当該発光波長のシフト量を用いて前記第２光源の光源光量値を補正する補正部とを備え、前記光源制御部は、前記第１の光量検出値を用いて前記第１光源の発光強度を制御し、前記第１の光量検出値と前記第２の光量検出値の両方を用いて前記第２光源の発光強度を制御し、前記補正部で補正された前記第２光源の光源光量値を用いて前記第２光源の発光強度を制御することを特徴とする画像表示装置が開示されている。
【０００６】
特許文献５には、異なる色を発光する、第１の光源と第２の光源とを有する照明装置において、前記第１の光源と前記第２の光源とによる合成光の色度を、ＸＹＺ表色系の色度座標上の、黒体輻射軌跡からの偏差が±０．０２の範囲にある任意の色度点に収束させることを特徴とする照明装置が開示されている。
【０００７】
特許文献６には、第１色の第１の光源と第２色の第２の光源とを用いて混合光を生成するステップと、前記混合光を表すフィードバック三刺激値が基準三刺激値の範囲内にあるか否かを判定するステップと、前記フィードバック三刺激値のうちの１以上が範囲外であった場合、前記第１の光源と前記第２の光源の輝度比率を調節するステップとからなる方法が開示されている。
【先行技術文献】
【特許文献】
【０００８】
【特許文献１】特許第６２５６９９７号公報
【特許文献２】特許６１７１９０９号公報
【特許文献３】特開２０１４−３５３８６号公報
【特許文献４】特許６０２８４４０号公報
【特許文献５】特開２００７−１４１７３７号公報
【特許文献６】特開２００５−３４０１９１号公報
【発明の概要】
【発明が解決しようとする課題】
【０００９】
しかしながら、上記従来技術は、色度図上で可視光領域を表す色域内において出射可能な光の色度の範囲が狭い、という問題があった。
【００１０】
本発明は上記事実を考慮して成されたものであり、色度図上で可視光領域を表す全色域内における任意の色度の光を出力させることができる光源制御装置、光源制御方法、及び光源制御プログラムを得ることを目的とする。
【課題を解決するための手段】
【００１１】
上記目的を達成するため、第１態様に係る光源制御装置は、ＣＩＥ１９３１色空間における色度図上で可視光領域を表す色域内における任意の目標色度を受け付ける受付部と、第１光源から出射される可視光領域の第１波長の光と、第２光源から出射される可視光領域の第２波長の光であり且つ前記第１波長と異なる第２波長の光と、を混合して出射する混合光出射部から出射される混合光の前記色度図上における色度が、前記目標色度となるように、前記第１波長、前記第２波長、前記第１波長の光の第１光量、及び前記第２波長の光の第２光量を制御する制御部と、を備える。
【００１２】
第１態様に係る光源制御装置において、前記色度図上における前記第１波長の光の第１色度と前記目標色度との位置関係に基づいて、前記第２波長を設定する波長設定部と、前記第１色度と、前記色度図上における前記第２波長の第２色度と、前記目標色度と、の前記色度図上における位置関係に基づいて、前記第１光量及び前記第２光量を設定する光量設定部と、を備え、前記制御部は、前記第１光量で前記第１波長の光が出射され、かつ、前記第２光量で前記第２波長の光が出射されるように、前記第１光源及び前記第２光源を制御するようにしてもよい。
【００１３】
第１態様に係る光源制御装置において、前記波長設定部は、前記第１色度と前記目標色度とを結ぶ直線と、前記色度図上における前記色域の外郭線と、に基づいて、前記第２波長を設定するようにしてもよい。
【００１４】
第１態様に係る光源制御装置において、測色計で測定された前記混合光の測定色度を取得する取得部と、前記測定色度と前記目標色度との色差を算出する算出部と、前記色差が予め定めた閾値以上の場合に、前記第１波長、前記第２波長、前記第１光量、及び前記第２光量の少なくとも１つを補正する補正部と、を備えた構成としてもよい。
【００１５】
第１態様に係る光源制御装置において、前記補正部は、前記測定色度が前記直線上の色度である場合は、前記色差に基づいて前記第１光量及び前記第２光量の少なくとも１つを補正するようにしてもよい。
【００１６】
第１態様に係る光源制御装置において、前記補正部は、前記測定色度が前記直線上の色度でない場合は、前記色差に基づいて前記第１波長及び前記第２波長の少なくとも１つを補正するようにしてもよい。
【００１７】
第１態様に係る光源制御装置において、前記第１波長は、前記可視光領域のうち予め定めた長波長側の波長といてもよい。
【００１８】
第２態様に係る光源制御方法は、コンピュータが、ＣＩＥ１９３１色空間における色度図上で可視光領域を表す色域内における任意の目標色度を受け付けるステップと、複数の光源から出射される可視光領域の複数の光を混合して出射する混合光出射部から出射される混合光の前記色度図上における色度が、前記目標色度となるように、前記複数の光の波長及び光量を制御するステップと、を含む処理を実行する。
【００１９】
第３態様に係る光源制御プログラムは、コンピュータに、ＣＩＥ１９３１色空間における色度図上で可視光領域を表す色域内における任意の目標色度を受け付けるステップと、複数の光源から出射される可視光領域の複数の光を混合して出射する混合光出射部から出射される混合光の前記色度図上における色度が、前記目標色度となるように、前記複数の光の波長及び光量を制御するステップと、を含む処理を実行させるためのプログラムである。
【発明の効果】
【００２０】
本発明によれば、色度図上で可視光領域を表す全色域内における任意の色度の光を出力させることができる、という効果を有する。
【図面の簡単な説明】
【００２１】
【図１】光源システムの概略構成図である。
【図２】光源制御装置のハードウェア構成を示す図である。
【図３】光源制御装置のＣＰＵの機能構成を示す図である。
【図４】色度図の一例を示す図である。
【図５】色域算出処理のフローチャートである。
【図６】光源制御処理のフローチャートである。
【図７】色域情報の一例を示す図である。
【図８】ｙ切片情報の一例を示す図である。
【発明を実施するための形態】
【００２２】
以下、本発明の実施形態について図面を参照しながら詳細に説明する。
【００２３】
図１には、光源システム１の概略構成を示した。図１に示すように、光源システム１は、光源制御装置１０、第１光源２０Ａ、第２光源２０Ｂ、混合光出射部３０、及び測色計４０を含む。
【００２４】
光源制御装置１０は、第１光源２０Ａ及び第２光源２０Ｂから出射される光の各々の波長及び光量を各々制御する。
【００２５】
第１光源２０Ａは、一例として波長が可視光領域（３８０ｎｍ以上で且つ７８０ｎｍ以下）の可視光領域の任意の第１波長λ１の光Ｌ１を出射可能な可変波長光源である。
【００２６】
第２光源２０Ｂは、第１光源２０Ａと同様の可変波長光源であり、第２波長λ２の光Ｌ２を出射する。
【００２７】
混合光出射部３０は、第１光源２０Ａから出射された第１波長λ１の光Ｌ１と、第２光源２０Ｂから出射された第２波長λ２の光Ｌ２と、を混合した混合光Ｌ３、すなわち加法混色により第１波長λ１の光Ｌ１及び第２波長λ２の光Ｌ２が混色された混合光Ｌ３を出射する。なお、混合光出射部３０は、例えば積分球又は散乱体等の光を混合する構成部品と、混合された光を出射する構成部品と、を含む。
【００２８】
測色計４０は、本実施形態ではＣＩＥ１９３１色空間で表される全色域における色度図内の色度点を計測する測色計が用いられ、混合光出射部３０から出射された混合光Ｌ３の色度を測定して出力する。ここで、色度とは、ＣＩＥ１９３１色空間で表される全色域における色度図上の色度座標（ｘ、ｙ）である。ここで、全色域とは、ほぼ人の目が感じる色域である。
【００２９】
図２は、光源制御装置１０のハードウェア構成を示す図である。光源制御装置１０は、一般的なコンピュータを含む装置である。
【００３０】
図２に示すように、光源制御装置１０は、コントローラ１１を備える。コントローラ１１は、ＣＰＵ（Central Processing Unit）１１Ａ、ＲＯＭ（Read Only Memory）１１Ｂ、ＲＡＭ（Random Access Memory）１１Ｃ、及び入出力インターフェース（Ｉ／Ｏ）１１Ｄを備える。そして、ＣＰＵ１１Ａ、ＲＯＭ１１Ｂ、ＲＡＭ１１Ｃ、及びＩ／Ｏ１１Ｄがシステムバス１１Ｅを介して各々接続されている。システムバス１１Ｅは、コントロールバス、アドレスバス、及びデータバスを含む。
【００３１】
また、Ｉ／Ｏ１１Ｄには、操作部１２、表示部１３、通信部１４、及び記憶部１５が接続されている。
【００３２】
操作部１２は、例えばマウス及びキーボードを含んで構成される。
【００３３】
表示部１３は、例えば液晶ディスプレイ等で構成される。
【００３４】
通信部１４は、第１光源２０Ａ、第２光源２０Ｂ、及び測色計４０等の外部装置とデータ通信を行うためのインターフェースである。
【００３５】
記憶部１５は、ハードディスク等の不揮発性の外部記憶装置で構成され、後述する光源制御プログラム１５Ａ、色域情報１５Ｂ、及びｙ切片情報１５Ｃ等を記憶する。ＣＰＵ１１Ａは、記憶部１５に記憶された光源制御プログラム１５ＡをＲＡＭ１１Ｃに読み込んで実行する。
【００３６】
次に、光源制御装置１０が光源制御プログラム１５Ａを実行する場合におけるＣＰＵ１１Ａの機能構成について説明する。
【００３７】
図３に示すように、ＣＰＵ１１Ａは、機能的には、受付部５１、制御部５２、波長設定部５３、光量設定部５４、取得部５５、算出部５６、及び補正部５７を備える。
【００３８】
受付部５１は、図４に示すようなＣＩＥ１９３１色空間における色度図６０上で可視光領域を表す色域ＧＭ内における任意の目標色度ＣＰを受け付ける。
【００３９】
制御部５２は、混合光出射部３０から出射される混合光Ｌ３の色度図６０上における色度が、目標色度ＣＰとなるように、第１波長λ１、第２波長λ２、第１波長λ１の光Ｌ１の第１光量、及び第２波長λ２の光Ｌ２の第２光量を制御する。本実施形態では、一例として、第１波長λ１は、可視光領域のうち予め定めた長波長側又は短波長側の波長である。ここで、長波長側の波長とは、例えば６００ｎｍ以上で且つ７８０ｎｍ以下の範囲の波長、すなわち主に赤色の光の波長である。また、短波長側の波長とは、例えば４００ｎｍ以上で且つ５００ｎｍ以下の範囲の波長、すなわち主に青色の光の波長である。本実施形態では、一例として第１波長λ１が長波長側の６５０ｎｍ又は短波長側の４４０ｎｍの場合について説明するが、これに限られるものではない。第１波長λ１として可視光領域の最短波長又は最長波長を選択することにより、ほぼ人の目が感じる全色域をカバーすることができる。第１光源２０Ａ及び第２光源２０Ｂは、理論的には波長の広がりを持たない単色光を出射可能な単色光源を用いることが望ましい。しかしながら、産業上利用できる単色光源は、必ず半値幅があり波長の広がりがあるので、色度図６０上における色域ＧＭの外郭線ＧＳ上の色度を得ることはできない。そのため、正確には、ほぼ全色域の色度が得られることになる。
【００４０】
波長設定部５３は、色度図６０上における第１波長λ１の光Ｌ１の第１色度Ｃ１と目標色度ＣＰとの位置関係に基づいて、第２波長λ２を設定する。具体的には、波長設定部５３は、図４に示すように、第１色度Ｃ１と目標色度ＣＰとを結ぶ直線ＳＬと、色度図６０上における色域ＧＭの外郭線ＧＳと、に基づいて、第２波長λ２を設定する。なお、図４に示す第１色度Ｃ１は、６５０ｎｍの波長の光の色度を表している。
【００４１】
光量設定部５４は、第１色度Ｃ１と、色度図６０上における第２波長λ２の第２色度Ｃ２と、目標色度ＣＰと、の色度図６０上における位置関係に基づいて、第１光量及び第２光量を設定する。この場合、制御部５２は、第１光量で第１波長λ１の光Ｌ１が出射され、かつ、第２光量で第２波長λ２の光Ｌ２が出射されるように、第１光源２０Ａ及び第２光源２０Ｂを制御する。
【００４２】
取得部５５は、測色計４０で測定された混合光Ｌ３の測定色度を取得する。
【００４３】
算出部５６は、測定色度と目標色度ＣＰとの色差を算出する。
【００４４】
補正部５７は、色差が予め定めた閾値以上の場合に、第１波長λ１、第２波長λ２、第１光量、及び第２光量の少なくとも１つを補正する。具体的には、補正部５７は、測定色度が直線ＳＬ上の色度である場合は、色差に基づいて第１光量及び第２光量の少なくとも１つを補正する。また、補正部５７は、測定色度が直線ＳＬ上の色度でない場合は、色差に基づいて第１波長λ１及び第２波長λ２の少なくとも１つを補正する。
【００４５】
次に、本実施形態の作用として、ＣＰＵ１１Ａで実行される色域算出処理及び光源制御処理について、図５、６に示すフローチャートを参照して説明する。
【００４６】
まず、図５に示す色域算出処理について説明する。図５に示す色域算出処理は、図６に示す光源制御処理の事前処理として実行される処理であり、図４に示す色域ＧＭを表す色域情報１５Ｂを算出する。
【００４７】
図５に示すように、ステップＳ１００では、第１光源２０Ａから出射される第１波長λ１（６５０ｎｍ及び４４０ｎｍ）の光の色度図６０上における色度を測定する。すなわち、まず第１波長λ１として６５０ｎｍの波長の光Ｌ１を出力するよう第１光源２０Ａを制御し、測色計４０により測定された６５０ｎｍの光Ｌ１の第１色度Ｃ１の色度座標を取得する。次に、第１波長λ１として４４０ｎｍの波長の光Ｌ１を出力するよう第１光源２０Ａを制御し、測色計４０により測定された４４０ｎｍの光Ｌ１の第１色度Ｃ１の色度座標を取得する。
【００４８】
ステップＳ１０２では、第２光源２０Ｂから出射される第２波長λ２の光Ｌ２を予め定めた波長範囲内で予め定めた波長ずつ変化させながら、各波長の光の色度図６０上における色度を測定する。なお、光量は一例として１００％、すなわち最大光量とする。本実施形態では、一例として４００ｎｍ以上で且つ６５０ｎｍ以下の波長範囲内で１ｎｍずつ第２波長λ２が変化するように第２光源２０Ｂを制御し、測色計４０により測定された各第２波長λ２１〜λ２Ｎ（Ｎは測定数）の光の第２色度Ｃ２１〜Ｃ２Ｎの色度座標を取得する。
【００４９】
なお、Ｎ１は測定した色度の数であり、本実施形態では４４０ｎｍ以上で且つ６６０ｎｍ未満の波長範囲内で１ｎｍずつ波長を変化させて測定するため、λ２１＝４４０ｎｍ、λ２２＝４４１ｎｍ、・・・λ２Ｎ＝６５９ｎｍであり、Ｎ＝２２０となる。
【００５０】
そして、図７に示すように、第２波長λ２１〜λ２Ｎと、第２色度Ｃ２１〜Ｃ２Ｎの色度座標と、の対応関係を色域情報１５Ｂとして記憶部１５に記憶する。
【００５１】
ステップＳ１０４では、ステップＳ１００で測定した第１色度Ｃ１と、ステップＳ１０２で測定した第２色度Ｃ２１〜Ｃ２Ｎの各々と、を結ぶ直線の各々と、色度図６０におけるｙ軸との交点、すなわちｙ切片ｙ１〜ｙＮを各々算出する。ここで、例えば図４の６５０ｎｍの第１色度Ｃ１の直下（Ｙ軸と平行方向）の色度を目標色度ＣＰとした場合、第１色度Ｃ１と目標色度ＣＰとを結ぶ直線はＹ軸と平行になるため、ｙ切片を求めることができない。そこで、本実施形態では、第１波長λ１を切り替えることにより波長範囲を２つに分けてｙ切片を算出する。具体的には、まず６５０ｎｍの第１色度Ｃ１と、４４０ｎｍ以上で且つ５４０ｎｍ以下の範囲の波長の第２色度Ｃ２１〜Ｃ２１００の各々と、を結ぶ直線の各々と、色度図６０におけるｙ軸との交点、すなわちｙ切片ｙ１〜ｙ１００を各々算出する。次に、４４０ｎｍの第１色度Ｃ１と、５４１ｎｍ以上で且つ６６０ｎｍ以下の範囲の波長の第２色度Ｃ２１０１〜Ｃ２Ｎの各々と、を結ぶ直線の各々と、色度図６０におけるｙ軸との交点、すなわちｙ切片ｙ１０１〜ｙＮを各々算出する。
【００５２】
そして、図８に示すように、第２色度Ｃ２１〜Ｃ２Ｎに対応する第２波長λ２１〜λ２Ｎと、ｙ切片ｙ１〜ｙＮと、の対応関係をｙ切片情報１５Ｃとして記憶部１５に記憶する。
【００５３】
次に、図６に示す光源制御処理について説明する。
【００５４】
ステップＳ２００では、色度図６０上で可視光領域を表す色域ＧＭ内における任意の目標色度ＣＰを受け付ける。具体的には、記憶部１５から色域情報１５Ｂを読み出し、読み出した色域情報１５Ｂに基づいて、色域ＧＭを表示部１３に表示させる。ここで、ユーザーは、操作部１２のマウスを操作して、色域ＧＭ内の任意の目標色度ＣＰを指定する。なお、ユーザーは、操作部１２のキーボードを操作して、目標色度ＣＰの色度座標（ｘ、ｙ）の数値を入力してもよい。
【００５５】
ステップＳ２０２では、図４に示すように、６５０ｎｍの第１色度Ｃ１と目標色度ＣＰとを結ぶ直線ＳＬと、色域ＧＭの外郭線ＧＳと、に基づいて、第２波長λ２を設定する。
【００５６】
具体的には、６５０ｎｍの第１色度Ｃ１と目標色度ＣＰとを結ぶ直線ＳＬのｙ切片ｙＰを算出する。ここで、直線ＳＬがＹ軸と平行になりｙ切片ｙＰを算出することができない場合には、４４０ｎｍの第１色度Ｃ１と目標色度ＣＰとを結ぶ直線ＳＬのｙ切片ｙＰを算出する。そして、記憶部１５に記憶されたｙ切片情報１５Ｃを参照し、算出したｙ切片ｙＰに最も近いｙ切片に対応する外郭線ＧＳ上の波長を第２波長λ２として設定する。なお、本実施形態では、ｙ切片情報１５Ｃにｙ切片ｙＰと同一のｙ切片が存在しているものとする。すなわち、直線ＳＬと外郭線ＧＳとの交点が第２波長λ２の第２色度Ｃ２であるものとする。
【００５７】
ステップＳ２０４では、第１色度Ｃ１、すなわちステップＳ２０２でｙ切片ｙＰを算出する際に用いた波長（６５０ｎｍ又は４４０ｎｍ）の第１色度Ｃ１と、ステップＳ２０２で設定した第２波長λ２の第２色度Ｃ２と、目標色度ＣＰと、の色度図６０上における位置関係に基づいて、第１光量Ｋ１及び第２光量Ｋ２を設定する。
【００５８】
具体的には、図４に示すように、色度図６０上において、第１色度Ｃ１から第２色度Ｃ２までの距離をＤ、第１色度Ｃ１から目標色度ＣＰまでの距離をＤ１、目標色度ＣＰから第２色度Ｃ２までの距離をＤ２とする。また、第１波長λ１の光Ｌ１の全光量をＡＫ１、第２波長λ２の光Ｌ２の全光量をＡＫ２とした場合に、第１光量Ｋ１及び第２光量Ｋ２を次式により算出する。
【００５９】
Ｋ２＝（Ｄ１／Ｄ）×ＡＫ１×ｎ    ・・・（１）
Ｋ１＝（Ｄ２／Ｄ）×ＡＫ２×ｎ    ・・・（２）
ここで、ｎは光量を調整するための係数である。
【００６０】
Ｋ２＝（Ｄ１／Ｄ）×ＡＫ１×ｎ    ・・・（１）
Ｋ１＝（Ｄ２／Ｄ）×ＡＫ２×ｎ    ・・・（２）
ここで、ｎは目標色度ＣＰの光量を調整するための係数である。
【００６１】
ステップＳ２０８では、ステップＳ２０６で取得した測定色度ＣＭと目標色度ＣＰとの色差ΔＥを算出する。
【００６２】
ステップＳ２１０では、色差ΔＥが予め定めた閾値（例えば０．３）未満であるか否かを判定する。そして、色差ΔＥが閾値未満の場合はステップＳ２１２へ移行し、色差ΔＥが閾値以上の場合はステップＳ２１４へ移行する。
【００６３】
ステップＳ２１２では、現在の設定における第１光量Ｋ１で第１波長λ１の光Ｌ１が出射され、かつ、現在の設定における第２光量Ｋ２で第２波長λ２の光Ｌ２が出射されるように、第１光源２０Ａ及び第２光源２０Ｂを制御する。これにより、目標色度ＣＰの混合光Ｌ３が混合光出射部３０から出射される。
【００６４】
一方、ステップＳ２１４では、ステップＳ２０６で取得した測定色度ＣＭが直線ＳＬ上の色度であるか否かを判定し、肯定された場合はステップＳ２１６へ移行し、否定された場合はステップＳ２１８へ移行する。
【００６５】
ステップＳ２１６では、色差ΔＥに基づいて第１光量Ｋ１及び第２光量Ｋ２の少なくとも１つを補正する。具体的には、図４に示すように、直線ＳＬ上において、測定色度ＣＭが目標色度ＣＰよりも第２色度Ｃ２側にずれている場合は、例えば測定色度ＣＭと目標色度ＣＰとの距離に応じて、第１光量Ｋ１を増加させる補正を行う。なお、第２光量Ｋ２を減少させる補正を行ってもよいし、第１光量Ｋ１を増加させると共に、第２光量Ｋ２を減少させる補正を行ってもよい。また、直線ＳＬ上において、測定色度ＣＭが目標色度ＣＰよりも第１色度Ｃ１側にずれている場合は、例えば測定色度ＣＭと目標色度ＣＰとの距離に応じて、第２光量Ｋ２を増加させる補正を行う。なお、第１光量Ｋ１を減少させる補正を行ってもよいし、第１光量Ｋ１を減少させると共に、第２光量Ｋ２を増加させる補正を行ってもよい。補正後は、ステップＳ２０６へ移行する。
【００６６】
ステップＳ２１８では、色差ΔＥに基づいて第１波長λ１及び第２波長λ２の少なくとも１つを補正する。具体的には、色度図６０上において、目標色度ＣＰから測定色度ＣＭへ向かう方向、すなわち偏差方向と、目標色度ＣＰと測定色度ＣＭとの距離と、に基づいて、第１波長λ１を補正する、第２波長λ２を補正する、第１波長λ１及び第２波長λ２の両方を補正する、の何れかの補正を行う。補正後は、ステップＳ２０６へ移行する。
【００６７】
ステップＳ２２０では、光源制御処理の終了が指示されたか否かを判定し、肯定された場合は本ルーチンを終了し、否定された場合は、ステップＳ２００へ移行して上記と同様の処理を繰り返す。
【００６８】
このように、本実施形態では、第１色度Ｃ１と、第２色度Ｃ２と、目標色度ＣＰと、の色度図６０上における位置関係に基づいて、第１光量Ｋ１及び第２光量Ｋ２を設定する。
【００６９】
また、測定色度ＣＭと目標色度ＣＰとの色差ΔＥが閾値以上の場合は、第１波長λ１、第２波長λ２、第１光量Ｋ１、及び第２光量Ｋ２の少なくとも１つを補正する。
【００７０】
このため、色度図６０上で可視光領域を表す色域ＧＭ内において出射可能な光の色度の範囲を広げることができる。
【００７１】
なお、本実施形態は、請求項に係る発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００７２】
なお、本実施形態では、第１光源２０Ａが可変波長光源である場合について説明したが、固定波長として例えば６５０ｎｍの波長の光を出射可能な固定波長光源及び４４０ｎｍの波長の光を出射可能な固定波長光源を用いても良い。
【００７３】
また、本実施形態では、２つの光源を用いた場合について説明したが、３つ以上の複数の光源を用いてもよい。この場合、３つ以上の光源によって得られる色度は、光源の波長によって定まる可視光領域を表す図４の色域ＧＭの外郭線ＧＳ上の各波長の点で囲まれる色域となる。全色域ではないが、３つ以上の光源から出射される光の色度と目標色度ＣＰとの色度図６０上の位置関係に基づいて、複数の波長の光の光量を各々設定すればよい。
【００７４】
また、本実施形態ではｙ切片を用いる場合について説明したが、ｙ切片に代えてｘ切片を用いてもよい。この場合も、第１色度Ｃ１と目標色度ＣＰとを結ぶ直線ＳＬがＸ軸と平行になりｘ切片を算出できない場合には、第１波長λ１を切り替えればよい。
【００７５】
また、上記実施の形態では、光源制御プログラム１５Ａが記憶部１５に予めインストールされている場合について説明したが、これに限定されるものではない。例えば、光源制御プログラム１５Ａが、ＣＤ−ＲＯＭ（Compact Disc Read Only Memory）等の記憶媒体に格納されて提供される形態、又はネットワークを介して提供される形態としてもよい。
【００７６】
さらに、上記実施の形態では、光源制御処理を、プログラムを実行することにより、コンピュータを利用してソフトウェア構成により実現する場合について説明したが、これに限定されるものではない。例えば、光源制御処理を、ハードウェア構成や、ハードウェア構成とソフトウェア構成の組み合わせによって実現する形態としてもよい。
【００７７】
その他、上記実施の形態で説明した光源制御装置１０の構成（図２参照。）は一例であり、本発明の主旨を逸脱しない範囲内において不要な部分を削除したり、新たな部分を追加したりしてもよいことは言うまでもない。
【００７８】
また、上記実施の形態で説明した光源制御プログラムの処理の流れ（図５、６参照）も一例であり、本発明の主旨を逸脱しない範囲内において不要なステップを削除したり、新たなステップを追加したり、処理順序を入れ替えたりしてもよいことは言うまでもない。
【符号の説明】
【００７９】
１     光源システム
１０   光源制御装置
１１   コントローラ
１２   操作部
１３   表示部
１４   通信部
１５   記憶部
１５Ａ 光源制御プログラム
１５Ｂ 色域情報
１５Ｃ 切片情報
２０Ａ 第１光源
２０Ｂ 第２光源
３０   混合光出射部
４０   測色計
５１   受付部
５２   制御部
５３   波長設定部
５４   光量設定部
５５   取得部
５６   算出部
５７   補正部
６０   色度図
【要約】
【課題】色度図上で可視光領域を表す全色域内における任意の色度の光を出力させることができる。
【解決手段】光源制御装置は、ＣＩＥ１９３１色空間における色度図上で可視光領域を表す色域内における任意の目標色度を受け付ける受付部と、複数の光源から出射される可視光領域の複数の光を混合して出射する混合光出射部から出射される混合光の前記色度図上における色度が、前記目標色度となるように、前記複数の光の波長及び光量を制御する制御部と、を備える。
【選択図】図３【図１】
0006771789.tif 000002
【図２】
0006771789.tif 000003
【図３】
0006771789.tif 000004
【図４】
0006771789.tif 000005
【図５】
0006771789.tif 000006
【図６】
0006771789.tif 000007
【図７】
0006771789.tif 000008
【図８】
0006771789.tif 000009